(57)【要約】【課題】着用者が腕上げ動作をした時に、体側における皮膚の伸びに対する阻害を低減することができるブラジャーを提供する。【解決手段】ブラジャー１００は、着用者の胸部に配される胸サポート部１と、胸サポート部１の下側から背部にかけて配されるベルト部２と、胸サポート部１の側端１１に接続され、体側から背部にかけて配される体側サポート部３とを備える。体側サポート部３は、丈方向における伸縮性が周囲方向よりも高い。【選択図】図２
2020100936.tif 000002
【特許請求の範囲】
【請求項１】
着用者の胸部に配される胸サポート部と、前記胸サポート部の側端に接続され、体側から背部にかけて配される体側サポート部とを備えるブラジャーにおいて、
前記体側サポート部は、丈方向における伸縮性が周囲方向よりも高い下サポート部、および前記下サポート部の上側に形成される上サポート部を有し、前記上サポート部の丈方向における伸縮性が前記胸サポート部および前記下サポート部よりも高いことを特徴とするブラジャー。
【請求項２】
着用者の胸部に配される胸サポート部と、前記胸サポート部の側端に接続され、体側から背部にかけて配される体側サポート部とを備えるブラジャーにおいて、
前記体側サポート部は、丈方向における伸縮性が周囲方向よりも高く、丈方向よりも周囲方向に幅の広い複数の孔部が設けられていることを特徴とするブラジャー。
【請求項３】
前記胸サポート部の側端は、バージスラインに沿うように形成されていることを特徴とする請求項１または２に記載のブラジャー。
【請求項４】
着用者の背中に配される背サポート部を備え、
前記背サポート部は、背中側において前記体側サポート部の間に設けられ、丈方向の伸縮性が前記体側サポート部よりも低いことを特徴とする請求項１から３のいずれか１項に記載のブラジャー。
【請求項５】
前記胸サポート部は胸部前側の中央で左右に分かれて形成されており、
胸部前側の中央において、左右の前記胸サポート部に接続される前側連結部が配されていることを特徴とする請求項１から４のいずれか１項に記載のブラジャー。
【請求項６】
前記胸サポート部の胸部前側の中央上部において中央へ向かうにつれて下がる傾斜線で囲まれる領域に生地を配し、
前記生地の丈方向における伸縮性が胸サポート部の丈方向における伸縮性よりも高いことを特徴とする請求項１から４のいずれか１項に記載のブラジャー。
【請求項７】
前記胸サポート部は、伸縮性が異なる生地を少なくとも二枚重ねてあることを特徴とする請求項１から６のいずれか１項に記載のブラジャー。
【請求項８】
着用者の胸部に配される胸サポート部と、前記胸サポート部の側端に接続され、体側から背部にかけて配される体側サポート部とを備えるブラジャーにおいて、
前記胸サポート部の側端の少なくとも一部がバージスラインの内側に形成され、前記体側サポート部がバージスライン下側にかけて設けられており、
前記体側サポート部の丈方向における伸縮性が、前記胸サポート部よりも高いことを特徴とするブラジャー。
【請求項９】
前記胸サポート部の側端の少なくとも一部がバージスライン下外側部の内側に形成されていることを特徴とする請求項８に記載のブラジャー。
【請求項１０】
前記胸サポート部の側端の少なくとも一部がバージスライン上外側部の内側に形成されていることを特徴とする請求項８または９に記載のブラジャー。
【請求項１１】
前記胸サポート部の側端の少なくとも一部がバージスライン下内側部の内側に形成されていることを特徴とする請求項８から１０のいずれか１項に記載のブラジャー。
【請求項１２】
前記体側サポート部がバージスラインの内側を覆う面積は、バージスライン下内側部よりもバージスライン上外側部で大きく、バージスライン上外側部よりもバージスライン下外側部で大きいことを特徴とする請求項８に記載のブラジャー。
【請求項１３】
前記体側サポート部は、丈方向における伸縮性が周囲方向よりも高いことを特徴とする請求項８から１２のいずれか１項に記載のブラジャー。
【請求項１４】
前記胸サポート部は、丈方向における伸縮性が周囲方向よりも低いことを特徴とする請求項８から１３のいずれか１項に記載のブラジャー。
【請求項１５】
前記体側サポート部の周囲方向における伸縮性が、前記胸サポート部よりも低いことを特徴とする請求項８から１４のいずれか１項に記載のブラジャー。
【発明の詳細な説明】
【技術分野】
【０００１】
本発明は、ブラジャーに関する。
【背景技術】
【０００２】
ブラジャーは、胸部に着用され、乳房を覆って保護するとともに、乳房を適度に保持して着用者の動作を補助する。
【０００３】
例えば、特許文献１には、胸カップ部、胸カップ部の上部に位置する上サポート部、および胸カップ部の下部に位置する下サポート部を形成する第１生地層を少なくとも備えるブラジャーが開示されている。ブラジャーは、上サポート部に第１多孔部を、下サポート部に第２多孔部を有し、通気性や柔軟性を有するように構成されている。
【先行技術文献】
【特許文献】
【０００４】
【特許文献１】米国特許出願公開第２０１６／０３６０８０１号明細書
【発明の概要】
【発明が解決しようとする課題】
【０００５】
特許文献１に開示されたブラジャーは、上サポート部および下サポート部において通気性や柔軟性を有するものの、着用者の体側に関しては考慮されていない。例えば、着用者が腕上げ動作をする際に、胸部における脇下の体側の皮膚は大きく伸びる。ブラジャーは、胸部に適度な着圧を生じることによって着用感を与える一方、体側における皮膚の伸縮に追従していないと、体側において皮膚の動きを阻害して運動の妨げとなったり、皮膚とのずれが生じたりするという問題点があった。
【０００６】
本発明は、こうした課題に鑑みてなされたものであり、その目的は、着用者が腕上げ動作をした時に、体側における皮膚の伸びに対する阻害を低減することができるブラジャーを提供することにある。
【課題を解決するための手段】
【０００７】
本発明のある態様はブラジャーである。ブラジャーは、着用者の胸部に配される胸サポート部と、前記胸サポート部の側端に接続され、体側から背部にかけて配される体側サポート部とを備えるブラジャーにおいて、前記体側サポート部は、丈方向における伸縮性が周囲方向よりも高い下サポート部、および前記下サポート部の上側に形成される上サポート部を有し、前記上サポート部の丈方向における伸縮性が前記胸サポート部および前記下サポート部よりも高いことを特徴とする。
他の態様によるブラジャーは、着用者の胸部に配される胸サポート部と、前記胸サポート部の側端に接続され、体側から背部にかけて配される体側サポート部とを備えるブラジャーにおいて、前記体側サポート部は、丈方向における伸縮性が周囲方向よりも高く、丈方向よりも周囲方向に幅の広い複数の孔部が設けられていることを特徴とする。
【０００８】
また別の態様のブラジャーは、着用者の胸部に配される胸サポート部と、前記胸サポート部の側端に接続され、体側から背部にかけて配される体側サポート部とを備えるブラジャーにおいて、前記胸サポート部の側端の少なくとも一部がバージスラインの内側に形成され、前記体側サポート部がバージスライン下側にかけて設けられており、前記体側サポート部の丈方向における伸縮性が、前記胸サポート部よりも高いことを特徴とする。
【０００９】
なお、以上の構成要素の任意の組み合わせや、本発明の構成要素や表現を方法、装置などの間で相互に置換したものもまた、本発明の態様として有効である。
【発明の効果】
【００１０】
本発明によれば、ブラジャーは、着用者が腕上げ動作をした時に、体側における皮膚の伸びに対する阻害を低減することができる。
【図面の簡単な説明】
【００１１】
【図１】実施形態１に係るブラジャーを示す正面図である。
【図２】図２（ａ）はブラジャーの背面図、図２（ｂ）はブラジャーの側面図である。
【図３】図３（ａ）は無縫製とした場合のブラジャーの正面図、図３（ｂ）は無縫製とした場合のブラジャーの背面図である。
【図４】各部に用いられる編み組織の丈方向の伸縮性を示すグラフである。
【図５】各部に用いられる編み組織の周囲方向の伸縮性を示すグラフである。
【図６】各部に対応する編み組織および伸縮性の高低を示す図表である。
【図７】図７（ａ）は変形例に係るブラジャーの正面図、図７（ｂ）はブラジャーの背面図である。
【図８】図８（ａ）は別の変形例に係るブラジャーの正面図、図８（ｂ）はブラジャーの背面図である。
【図９】実施形態２に係るブラジャーを示す正面図である。
【図１０】図１０（ａ）はブラジャーの背面図、図１０（ｂ）はブラジャーの側面図である。
【図１１】ブラジャーの展開図である。
【図１２】図１２（ａ）〜（ｄ）は、バージスラインＬ等について説明するための模式図である。
【図１３】材料Ｆおよび材料Ｇの丈方向および周囲方向の伸縮性を示すグラフである。
【図１４】図１４（ａ）および図１４（ｂ）は変形例に係るブラジャーの正面図である。
【図１５】図１５（ａ）および図１５（ｂ）は、別の変形例に係るブラジャーの正面図である。
【図１６】図１６（ａ）および図１６（ｂ）は、更に別の変形例に係るブラジャーの正面図である。
【発明を実施するための形態】
【００１２】
以下、本発明を好適な実施の形態をもとに図１から図１６を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１３】
（実施形態１）
図１は実施形態１に係るブラジャー１００を示す正面図であり、図２（ａ）はブラジャー１００の背面図、図２（ｂ）はブラジャー１００の側面図である。ブラジャー１００は、胸サポート部１、ベルト部２、体側サポート部３、背サポート部４および肩ストラップ部５を有する。胸サポート部１および背サポート部４は、上部において肩ストラップ部５によって接続されており、下部において胸部前側から背中にかけて胸部を一周するベルト部２に接続されている。ブラジャー１００は、例えば着用者が身体を動かして体操やヨガなどのトレーニングを行う際に、着用者の胸部にフィットして身体を動かし易くするとともに、着用者の胸部でのズレを抑制する。
【００１４】
胸サポート部１、ベルト部２、背サポート部４および肩ストラップ部５は、丈方向における伸縮性が低く、乳房の丈方向における保持性を良くしてある。ベルト部２は、周方向にも伸縮性が低く、着用時にアンダーバストにおける着圧が大きく、ブラジャー１００の胸部におけるズレが抑制されることが好ましい。胸サポート部１、背サポート部４および肩ストラップ部５における丈方向の伸縮性も、ベルト部２と同様に低く設定されていることで、乳房の丈方向における保持性が良くなる。
【００１５】
体側サポート部３は、丈方向における伸縮性が周囲方向よりも高く、着用者が腕上げ動作をした際に、脇下の体側における皮膚の伸びに対する阻害を低減する。また、体側サポート部３は、上下二段構成とし、下サポート部３１の丈方向における伸縮性を上サポート部３２よりも低くすることで、体側における胸サポート部１の側端１１とベルト部２の結合を高めてブラジャー１００の形状安定性を高めるとともに、乳房の保持性を確保する。
【００１６】
ブラジャー１００の各部における生地が一体的に織り込まれる無縫製であってもよいし、一部または全ての各パーツが相互に縫製されるものであってもよい。図３（ａ）は無縫製とした場合のブラジャー１００の正面図、図３（ｂ）は無縫製とした場合のブラジャー１００の背面図である。図３（ａ）および図３（ｂ）に示すように、ブラジャー１００の表面には縫い目や、生地と生地の合せが視認できない。ブラジャー１００は、胸サポート部１、ベルト部２、体側サポート部３、背サポート部４および肩ストラップ部５等の各部が占める領域において、生地の織り込み方や、繊維の方向、使用する繊維量等の違い、さらには樹脂等の繊維への塗布等によって、丈方向および周囲方向の伸縮性に差異が設けられている。
【００１７】
図１に戻り、胸サポート部１は、着用者の胸部における乳房の下部から上部を包むように配されており、胸部前側に向けて膨らんだ立体的形状を有する。胸サポート部１の形状および大きさは、乳房の大きさや形状のバリエーションに対応し、乳房が存在する範囲内における着圧の高低差が抑制されたものとすることが好ましい。胸サポート部１の下側は、ベルト部２に接続されている。胸サポート部１と、その周辺領域との境界線（側端１１を含む）は、バージスラインに沿って形成されており、乳房のバージスライン上を含むバージスライン付近、またはバージスラインの内側または外側に形成されている。尚、バージスラインとは、乳房の付け根のラインを意味する。
【００１８】
ベルト部２は、胸サポート部１の下部に接続され、胸部前側から背中にかけて胸部を一周する細長い帯状である。胸部前側の中央において、ベルト部２と胸サポート部１とで囲まれる三角形状の領域には、前側連結部６が形成されており、前側連結部６によって、胸サポート部１の中央下部とベルト部２の中央が連結されている。ベルト部２は、体側および背中側において、上部に体側サポート部３が接続されている。
【００１９】
体側サポート部３は、胸サポート部１の側端１１に一端側が接続され、脇下の体側から背中側にかけて配されている。体側サポート部３の下部は、ベルト部２に接続されている。体側サポート部３の他端側は、背サポート部４に接続されている。体側サポート部３は、体側から背中の中央に向かって延び、背中の中央側が下がる傾斜線３５において背サポート部４に接続されている。下サポート部３１と上サポート部３２との境界線は、体側におけるブラジャー１００のサイド高さＳの半分より下に含まれる。
【００２０】
体側サポート部３は、下サポート部３１および上サポート部３２の上下二段構成とし、下サポート部３１の下部がベルト部２に接続され、下サポート部３１の上部に上サポート部３２が接続されている。上サポート部３２には、周囲方向に幅が広い複数の孔部３２ａが形成されている。
【００２１】
背サポート部４は、Ｙ字状をなし、上部において肩ストラップ部５に接続され、下部においてベルト部２および体側サポート部３に接続されている。背サポート部４は、最も狭い幅Ｗが例えば５．５ｃｍ以下としてある。図２（ａ）に示す背サポート部４はＹ字型であるが、左右の肩ストラップ部５にそれぞれ上部で接続され、下部でベルト部２および体側サポート部３に接続される細長い一対の帯状に構成されるストレート型や、一対の帯が交差したクロス型であってもよい。背サポート部４は、下部においてベルト部２に接続されていることが好ましいが、下部がベルト部２の付近まで延び、ベルト部２との間に体側サポート部３を介在させるようにしてもよい。
【００２２】
肩ストラップ部５は、細長い帯状をなし、胸部前側において胸サポート部１の上部に接続され、背中側において背サポート部４の上部に接続される。肩ストラップ部５の幅は、例えば１ｃｍ〜５ｃｍ程度とする。
【００２３】
次に各部の伸縮性について説明する。
図４は各部に用いられる編み組織の丈方向の伸縮性を示すグラフであり、図５は各部に用いられる編み組織の周囲方向の伸縮性を示すグラフである。編み組織は４種類を用い、それぞれ編み組織Ａ，Ｂ，Ｃ，Ｄとする。丈方向では、編み組織Ａの伸縮性が最も低く、次いで編み組織Ｂ，Ｃ，Ｄの順に伸縮性が高くなる。周囲方向では、編み組織Ｄの伸縮性が最も低く、次いで編み組織Ｂ，Ａ，Ｃの順に伸縮性が高くなる。編み組織Ａ，Ｂ，Ｃ，Ｄの丈方向における伸縮性の差異に比べて、周囲方向における伸縮性の差異は小さい。尚、編み組織Ａ，Ｂ，Ｃ，Ｄは、公知の技術に基づいて使用する繊維や編み方を変えることによって、それぞれの丈方向および周囲方向における伸縮性を設定することが可能である。例えば、編み組織Ａ，Ｂ，Ｃ，Ｄは、生地の織り込み方や、繊維の方向、使用する繊維量等の違い、さらには樹脂等の繊維への塗布等によって、丈方向および周囲方向の伸縮性に差異が設けられる。また、各部には編み組織以外に、織り組織や不織布なども用いられる。尚、後述する実施形態２における材料Ｆ，Ｇ，Ｈ，Ｉも同様である。
【００２４】
図６は、各部に対応する編み組織および伸縮性の高低を示す図表である。図６において伸縮性は、１から５までの５段階で表わしており、伸縮性が低い側が１、高い側が５としてある。胸サポート部１は、表地に編み組織Ｂを、裏地に編み組織Ｃを用いており、伸縮性は丈方向および周囲方向ともに２、即ち伸縮性が２番目に低い。ベルト部２は、編み組織Ａを二枚重ねとし、伸縮性は丈方向および周囲方向ともに１、即ち伸縮性が最も低い。尚、胸サポート部１における編み組織Ｂおよび編み組織Ｃは、図５に示す丈方向と周囲方向の伸縮性が備わるように、方向を一致させて重ね合わせるものとする。また、ベルト部２における編み組織Ａは、図５に示す丈方向と周囲方向の伸縮性が備わるように、方向を一致させて二枚重ねにするものとする。
【００２５】
体側サポート部３の下サポート部３１は、編み組織Ｂを用いており、丈方向の伸縮性は３、周囲方向の伸縮性は４である。背サポート部４も、下サポート部３１と同様に編み組織Ｂを用いている。
【００２６】
体側サポート部３の上サポート部３２は、編み組織Ｄを用いており、丈方向の伸縮性は５、即ち伸縮性が最も高く、周囲方向の伸縮性は３、即ち伸縮性が３番目に低い。肩ストラップ部５は、編み組織Ｃを用いており、丈方向の伸縮性は４、即ち伸縮性が２番目に高く、周囲方向の伸縮性は５、即ち伸縮性が最も高い。
【００２７】
次にブラジャー１００の作用について説明する。
ベルト部２は、編み組織Ａを二枚重ねにして使用することで、他の部分に比べて、周囲方向の伸縮性が最も低くしてある。これにより、ブラジャー１００は、ベルト部２で着用者のアンダーバストに固定され、着用者の体側における伸びに対してベルト部２の丈方向におけるズレを防止する。
【００２８】
着用者の体側に配される体側サポート部３は、丈方向の伸縮性が高い上サポート部３２を有しており、着用者による腕上げ動作時の体側における皮膚の伸びに伴って、伸縮し易くしてある。ブラジャー１００は、体側サポート部３によって、着用者による腕上げ動作時の体側における皮膚の伸びに対する阻害を低減することができる。また、丈方向に伸縮性が高い編み組織Ｄを体側サポート部３の上サポート部３２に限定的に配置することで、ブラジャー１００全体が緩くなる（丈方向における保持性が低下する）ことなく、体側における皮膚の伸びへの追従性を発揮させることができる。
【００２９】
上サポート部３２は、周囲方向における伸縮性が下サポート部３１および背サポート部４等と同程度である。また、上サポート部３２とベルト部２との周囲方向における伸縮性の差は、丈方向における伸縮性の差よりも小さい。これにより、ブラジャー１００は、周囲方向における乳房の保持性が良くなる。
【００３０】
体側サポート部３の下サポート部３１は、上サポート部３２よりも丈方向の伸縮性が低くしてあり、体側における胸サポート部１の側端１１とベルト部２の結合を高めてブラジャー１００の形状安定性を高めるとともに、乳房の保持性を確保する。体側サポート部３は、下サポート部３１および上サポート部３２を有する二段構成としているが、下サポート部３１を設けずに、上サポート部３２がベルト部２に接続される構成としても良い。尚、体側サポート部３の下部は、ベルト部２に部分的または全体的に接続されていなくてもよい。
【００３１】
体側サポート部３の上サポート部３２は、周囲方向に幅が広い複数の孔部３２ａが設けられていることで、丈方向の伸縮性が周囲方向よりも高くなる。尚、上サポート部３２は、複数の孔部３２ａを設けずに、同等の丈方向の伸縮性を持たせることも可能である。
【００３２】
胸サポート部１は、編み組織ＢおよびＣの二枚重ねとすることで、ベルト部２より低いまたは同程度の伸縮性を持たせて乳房の保持性を高めるとともに、乳房の透けの防止や、挿込みカップ用のポケットを設けることなどできる。胸サポート部１は、編み組織Ｂの二枚重ねであると、乳房への着圧が高くなり、ブラジャー１００が硬いという印象を与えてしまうため、編み組織Ｂに比べて伸縮性の高い編み組織Ｃを裏地に用いている。尚、胸サポート部１の下側に配される前側連結部６は、丈方向に伸縮性が高い編み組織Ｄ以外の編み組織を配置する。
【００３３】
肩ストラップ部５は、編み組織Ｃによる伸縮性以外に縁取り部分の影響によって、伸縮性が低くなる。肩ストラップ部５は、乳房の丈方向における保持性を確保するべく、縁取り部分を含めて、例えば背サポート部４の伸縮性と同程度またはそれ以上とするとよい。尚、肩ストラップ部５は、胸サポート部１または背サポート部４の編み組織と同等とし、これらの部分を延長して一体化して形成されるようにしてもよい。また、肩ストラップ部５および前側連結部６は、外観に表われる表面にデザイン性を持たせるようにしてもよい。
【００３４】
（変形例）
図７（ａ）は変形例に係るブラジャー１００の正面図、図７（ｂ）はブラジャー１００の背面図である。変形例に係るブラジャー１００は、前側連結部６の領域が拡大された構成としている。前側連結部６は、上端がブラジャー１００の襟ぐりと一致し、下端がベルト部２に接続されている。前側連結部６の左右は、左右の乳房のトップ位置よりも胸部の中央側に形成される。この場合、胸サポート部１は、左右に分かれた１対の領域に形成される。
【００３５】
図８（ａ）は別の変形例に係るブラジャー１００の正面図、図８（ｂ）はブラジャー１００の背面図である。別の変形例に係るブラジャー１００は、体側サポート部３の下サポート部３１が拡大された構成としている。体側サポート部３の下サポート部３１は、胸部前側において、胸サポート部１とベルト部２との間に介在する部分３６ａ、図７（ａ）に示す拡大された前側連結部６に相当する部分３６ｂ、および上サポート部３２の背中側の部分３６ｃに拡大されている。この場合、上サポート部３２は、少なくとも体側における領域として形成される。
【００３６】
背サポート部４と下サポート部３１とを同じ編み組織とすれば、下サポート部３１は、部分３６ａ、部分３６ｂ、部分３６ｃおよび背サポート部４まで拡大した領域とすることも可能である。尚、部分３６ａ、部分３６ｂおよび部分３６ｃは、全て設けられていても良いし、１または複数を選択して部分的に設けられていてもよい。
【００３７】
上述の実施形態および各変形例において、編み組織Ａ，Ｂ，Ｃ，Ｄは、伸縮性にバリエーションがある編み組織の組合せの一例として挙げたものであり、ブラジャー１００に用いる編み組織Ａ，Ｂ，Ｃ，Ｄの組合せに限定されるものではない。また、ブラジャー１００に用いる編み組織は、４つに限られるものではなく、４つ以上であっても４つ未満であってもよい。
【００３８】
（実施形態２）
図９は、実施形態２に係るブラジャー１００を示す正面図であり、図１０（ａ）はブラジャー１００の背面図、図１０（ｂ）はブラジャー１００の側面図である。図１１は、ブラジャー１００の展開図である。実施形態２に係るブラジャー１００は、実施形態１に係るブラジャー１００と同様に、胸サポート部１、ベルト部２、体側サポート部３、背サポート部４および肩ストラップ部５を有する。
【００３９】
実施形態２に係るブラジャー１００は、丈方向に伸縮性が高い体側サポート部３が乳房のバージスラインＬ（図９に示す点線）の内側まで延びるように設けられており、バージスラインＬの胸部中央の下側に亘って配されている。また、胸サポート部１は、丈方向に伸縮性が低く、周囲方向の伸縮性が丈方向に比べて高くしてある。
【００４０】
着用者が腕上げ動作をした際に、胸部の体側における皮膚が丈方向に大きく伸びるが、バージスライン周辺の皮膚、特にバージスライン内側における乳房の下部からバージスライン下側（下方を含む。以下、同様である。）にかけての領域における皮膚の丈方向の伸びも体側と連続的に大きく発生する。ブラジャー１００は、体側サポート部３がバージスラインの周辺およびバージスラインの下側まで拡大されることによって、バージスラインの周辺およびバージスラインの下側における皮膚の丈方向の伸びに対する阻害が低減されることに加え、体側における皮膚の丈方向の伸びに対する阻害もより一層軽減される。またブラジャー１００は、胸サポート部１によって丈方向における乳房の保持性を良くするとともに、周囲方向に伸びて乳房の隆起にフィットする。
【００４１】
ブラジャー１００は、例えば着用者が身体を動かして体操やヨガなどのトレーニングを行う際に、着用者の胸部にフィットして身体を動かし易くするとともに、着用者の胸部でのズレを抑制する。とくに、ブラジャー１００は、バージスライン周辺の皮膚、特にバージスライン内側における乳房の下部からバージスライン下側にかけての領域における皮膚の丈方向の伸びに対する阻害をも軽減することから、腕上げ動作が激しい水泳等のスポーツ用の衣類に適した構成となっている。
【００４２】
胸サポート部１は、着用者の胸部前側の中央から外側に配されており、周囲方向において乳房のトップ位置Ｐを含む範囲に形成されている。胸サポート部１の下部は、ベルト部２に接続されている。胸サポート部１の側端１１は、体側サポート部３に接続されている。側端１１は、胸部中央に向けて下がる傾斜を有する曲線状または直線状である。胸サポート部１の側端１１は、乳房のトップ位置Ｐを含むように胸サポート部１を形成することを考慮すると、外側に膨らんだ曲線状とすることが好ましい。
【００４３】
胸サポート部１の側端１１は、上端が肩ストラップ部５の外側に位置し、下端が上端より内側寄りのベルト部２の接続部に位置する。側端１１は、上端から、バージスラインＬの内側を通って胸部中央に向かって下がり、バージスラインＬの下側で交差し、下端に至る曲線状に形成されている。側端１１は、ベルト部２の上辺と交差する下端部を、例えば乳房のトップ位置Ｐの下方や、トップ位置Ｐよりも胸部中央寄りの位置に設けるようにする。図１２（ａ）〜（ｄ）は、バージスラインＬ等について説明するための模式図である。図１２（ａ）において、乳房のトップ位置Ｐにおける水平線とバージスラインＬとの交点をＱ１、乳房のトップ位置Ｐにおける鉛直線とバージスラインＬとの交点をＱ２、バージスラインＬ上において、Ｑ１とＱ２から等距離にある中点をＱ３とする。バージスラインＬのうち、Ｑ３より内側（胸部中央側）の部分をバージスライン下側と定義し、Ｑ３より外側の部分をバージスライン外側と定義する。また、図１２において線分Ｍは、バージスライン外側の部分における最外側を示す線分である。線分Ｍの外側（矢印で示す側）は、着用者の体側において丈方向に特に大きく伸びる領域となっている。胸サポート部１の側端１１における上端は線分Ｍの外側にあってもよいが、この場合、側端１１は線分Ｍに交差するように形成されるようにするとよい。
【００４４】
また、図１２（ｂ）に示すように、バージスラインＬを複数の部分に分割して考える。例えば、バージスライン上外側部Ｒ１は時計に見立てて８時〜１０時半の部分であり、バージスライン下外側部Ｒ２は５時半〜８時の部分であり、バージスライン下内側部Ｒ３は３時〜５時半の部分であるとする。胸サポート部１の側端１１の少なくとも一部は、バージスライン下外側部Ｒ２の内側に形成することにより、体側サポート部３をバージスライン周辺の皮膚、特にバージスライン内側における乳房の下部からバージスライン下側にかけての領域に向けて拡大させ、バージスライン周辺およびバージスライン下側における体側サポート部３の領域を大きくすることができる。また胸サポート部１の側端１１の少なくとも一部がバージスライン上外側部Ｒ１の内側に形成されることにより、乳房の外側における体側サポート部３の領域を大きくすることができる。また胸サポート部１の側端１１の少なくとも一部がバージスライン下内側部Ｒ３の内側に形成されることにより、乳房の下側における体側サポート部３の領域をさらに大きくすることができる。また体側サポート部３がバージスラインの内側を覆う面積は、バージスライン下内側部Ｒ３よりもバージスライン上外側部Ｒ１で大きく、バージスライン上外側部Ｒ１よりもバージスライン下外側部Ｒ２で大きい。これによって、ブラジャー１００は、胸サポート部１の側端１１が、胸部の中央に向かうにつれて下がる傾斜線として形成される。
【００４５】
実際のブラジャーにおけるバージスラインＬの位置は、ブラジャーの外形との関係で把握され得る。図１２（ｃ）に示すように、乳房のトップ位置Ｐは、次の３つの条件を満たす点として把握できる。
（１）ブラジャーの前面側にある。
（２）ベルト部２の上辺の平置き時における左右端から、ベルト部２の上辺の平置き時における左右端間の距離Ｎ１のおよそ３０％分内側の位置にある。
（３）肩ストラップ部５の上端からベルト部２の上辺までの長さＮ２のおよそ３０％の長さ分だけ、ベルト部２の上辺から丈方向に上側の位置にある。
またバージスラインＬは、乳房のトップ位置Ｐを中心として直径がＮ１のおよそ４７％の円における１時半から９時の間の範囲の円弧として把握できる。
また、体側サポート部３の範囲は、例えば、体の前面では胸サポート部１に接続されており、背面では、図１２（ｄ）に示すように、平置き時のベルト部２の左右端から、少なくとも距離Ｎ１の２０％分の範囲を含む。また、体側サポート部３の範囲は、体の背面では、平置き時のベルト部２の左右端から、少なくとも距離Ｎ１の１０％分の範囲を含むと考えてもよく、この場合であっても体の体側をカバーし得る。尚、ブラジャーにおけるトップ位置Ｐ、バージスラインＬおよび体側サポート部３の範囲については、実施形態１においても同様に把握され得る。
【００４６】
ベルト部２は、胸サポート部１の下部に接続され、胸部前側から背中にかけて胸部を一周する細長い帯状である。体側サポート部３は、胸サポート部１の側端１１に一端側が接続され、脇下の体側から背中側にかけて配されている。体側サポート部３の下部は、ベルト部２に接続されている。体側サポート部３の他端側は、背サポート部４に接続されている。背サポート部４は、矩形状をなし、上部において肩ストラップ部５に接続され、下部においてベルト部２に接続されている。肩ストラップ部５は、紐状をなし、胸部前側において胸サポート部１の上部に接続され、背中側において背サポート部４の上部に接続される。
【００４７】
次に各部の伸縮性およびブラジャー１００の作用について説明する。
各部を形成する材料として、材料Ｆ，Ｇ，Ｈ，Ｉを用いる。体側サポート部３には材料Ｆを用い、胸サポート部１には材料Ｇを用いる。また、背サポート部４には材料Ｈを用い、ベルト部２には材料Ｉを用いる。図１３は材料Ｆおよび材料Ｇの丈方向および周囲方向の伸縮性を示すグラフである。材料Ｆは、例えば身生地一重であり、材料Ｇは、例えば身生地に裏地を付けた二重とする。丈方向の伸縮性は、体側サポート部３の材料Ｆが胸サポート部１の材料Ｇよりも高い。逆に周囲方向の伸縮性は、胸サポート部１の材料Ｇが体側サポート部３の材料Ｆよりも高い。また、体側サポート部３の材料Ｆは、周囲方向の伸縮性が丈方向の伸縮性がよりも低い。胸サポート部１の材料Ｇは、丈方向の伸縮性が周囲方向の伸縮性よりも低い。
【００４８】
体側サポート部３の丈方向における伸縮性が、胸サポート部１よりも高いことにより、ブラジャー１００は、体側サポート部３が、体側からバージスライン周辺およびバージスライン下側における皮膚に追従して伸び、体側からバージスライン周辺およびバージスライン下側における皮膚の伸びの阻害を低減する。
【００４９】
体側サポート部３の周囲方向における伸縮性が丈方向における伸縮性よりも低いことによって、ブラジャー１００は、着用者の体幹にフィットし易くなる。
【００５０】
胸サポート部１の丈方向における伸縮性が周囲方向における伸縮性よりも低いことによって、丈方向におけるブラジャー１００の胸部への保持性が良好となり、一方、周囲方向には乳房の隆起にフィットしつつ、胸部の過度な締め付けを抑制する。また、体側サポート部３の周囲方向における伸縮性が、胸サポート部１の周囲方向における伸縮性よりも低いことによって、乳房の下部まで拡大した体側サポート部３が乳房を下から持ち上げ、バストの保形性を良くすることができる。
【００５１】
背サポート部４に用いる材料Ｈ、および肩ストラップ部５に用いる材料Ｉは、丈方向における伸縮性が、体側サポート部３に用いる材料Ｆよりも低いものとする。ブラジャー１００は、胸サポート部１、ベルト部２、背サポート部４および肩ストラップ部５の丈方向の伸縮性が体側サポート部３に比べて低いことによって、乳房の丈方向における保持性を良くすることができる。
【００５２】
ベルト部２に用いる材料Ｉは、周囲方向における伸縮性が、体側サポート部３に用いる材料Ｆおよび胸サポート部１に用いる材料Ｇよりも、低いものとする。ベルト部２に用いる材料Ｉの周囲方向における伸縮性が低いことにより、ブラジャー１００は、ベルト部２で着用者のアンダーバストにしっかりと固定される。
【００５３】
（変形例）
図１４（ａ）および図１４（ｂ）は変形例に係るブラジャー１００の正面図である。図１４（ａ）に示すブラジャー１００は、胸サポート部１の側端１１が上部側において外側に膨らむ部分１１ａ、下部側において内側に膨らむ部分１１ｂを有している。体側サポート部３は、側端１１の部分１１ｂに沿って胸部前側の領域に延びており、バージスライン周辺およびバージスライン下側における皮膚の伸びに追従して伸びる。また、図１４（ｂ）に示すブラジャー１００は、胸サポート部１の側端１１が全体的に内側に向かって膨らむ曲線状となっており、体側サポート部３が占める領域が拡大されることで、着用者の体側からバージスライン周辺およびバージスライン下側における皮膚の伸びへの追従性が増す。
【００５４】
図１５（ａ）および図１５（ｂ）は、別の変形例に係るブラジャー１００の正面図である。図１５（ａ）に示すブラジャー１００は、胸サポート部１の側端１１が上部側において内側に膨らむ部分１１ｃ、中途部において外側に膨らむ部分１１ｄ、および下部側において内側に膨らむ部分１１ｅを有している。胸サポート部１は、側端１１が乳房のトップ位置Ｐを含む領域として形成されている。体側サポート部３は、部分１１ｃおよび部分１１ｅによって、上部側および下部側において領域が拡大されることで、着用者の体側からバージスライン周辺およびバージスライン下側における皮膚の伸びへの追従性が増す。
【００５５】
図１５（ｂ）に示すブラジャー１００は、胸サポート部１の側端１１のラインが、図１５（ａ）と同等であるが、胸サポート部１の中央上部において、中央に向かうにつれて下がる傾斜線で囲まれる領域１２に胸サポート部１と別の材料が配置されている。例えば、体側サポート部３と同等の材料を領域１２に配置し、丈方向への伸縮性を高めるようにしてもよい。
【００５６】
図１６（ａ）および図１６（ｂ）は、更に別の変形例に係るブラジャー１００の正面図である。図１６（ａ）に示すブラジャー１００は、胸サポート部１の下部とベルト部２との間に体側サポート部３から延びる部分３７を介在させる構成としている。また、胸サポート部１の中央上部において、中央に向かうにつれて下がる傾斜線で囲まれる領域１２に胸サポート部１と別の材料が配置されている。部分３７が体側から胸部前側の中央に延びているため、ブラジャー１００は、バージスライン周辺およびバージスライン下側のより広範囲な皮膚の伸びに追従して伸びることができる。
【００５７】
図１６（ｂ）に示すブラジャー１００は、胸サポート部１の下部とベルト部２との間に体側サポート部３から延びる部分３７を介在させる構成が図１６（ａ）と同等であり、領域１２が部分３７まで至るように設けられている。例えば、体側サポート部３と同等の材料を領域１２に配置し、胸部前側の中央における丈方向への伸縮性を高めるようにしてもよい。
【００５８】
上述の実施形態１および実施形態２並びに各変形例においては、着用者の胸部に形成されるブラジャー１００を示したが、ブラジャー１００の構造を付加したＴシャツ、インナーシャツ等の衣類や、ベルト部２から身体の前側および後ろ側等において下半身に向けて配される部分を付加し、パンツ部分と一体化して形成されるワンピースタイプの水着などにも応用され得る。
【００５９】
次に、実施形態１および実施形態２並びに各変形例に係るブラジャー１００の特徴を説明する。
ブラジャー１００は、着用者の胸部に配される胸サポート部１と、胸サポート部１の下側から背部にかけて配されるベルト部２と、胸サポート部１の側端１１に接続され、体側から背部にかけて配される体側サポート部３とを備える。体側サポート部３は、丈方向における伸縮性が周囲方向よりも高い。これにより、ブラジャー１００は、着用者が腕上げ動作をした時に、体側サポート部が丈方向に伸び、体側における皮膚の伸びに対する阻害を低減することができる。
【００６０】
また胸サポート部１の側端１１は、バージスラインに沿うように形成されている。これにより、ブラジャー１００は、乳房の保持性を良くすることができる。
【００６１】
また体側サポート部３とベルト部２の周囲方向における伸縮性の差が、丈方向における伸縮性の差よりも小さい。即ち、周囲方向には体側サポート部３およびベルト部２の両方の伸縮性が丈方向の伸縮性よりも低い。これにより、ブラジャー１００は、周囲方向における乳房の保持性を良くすることができる。
【００６２】
また体側サポート部３は、ベルト部２に沿って形成される下サポート部３１、および下サポート部３１の上側に形成される上サポート部３２を有する。上サポート部３２の丈方向における伸縮性が下サポート部３１よりも高い。これにより、ブラジャー１００は、丈方向における伸縮性が低い下サポート部３１によって、体側における胸サポート部１の側端１１とベルト部２との結合を高め、ブラジャー１００の形状の安定性を保つことができる。
【００６３】
また体側サポート部３は、上サポート部３２において周囲方向に幅の広い複数の孔部３２ａが設けられている。これにより、ブラジャー１００は、周囲方向に幅の広い複数の孔部３２ａによって、体側サポート部３の丈方向の伸縮性を高めることができる。
【００６４】
またブラジャー１００は、着用者の背中に配される背サポート部４と、胸サポート部１と背サポート部４の上端同士を接続する肩ストラップ部５とを備える。背サポート部４および肩ストラップ部５は、丈方向における伸縮性が体側サポート部３よりも低い。背サポート部４は、下端がベルト部２に接続されるように設けられているか、または下端がベルト部２の付近まで延びるように設けられている。これにより、ブラジャー１００は、胸サポート部１、ベルト部２、背サポート部４および肩ストラップ部５によって丈方向における乳房の保持性を更に良くすることができる。
【００６５】
またベルト部２の周囲方向における伸縮性は、胸サポート部１、体側サポート部３および背サポート部４の周囲方向における伸縮性よりも低い。これにより、ブラジャー１００は着用者のアンダーバストにベルト部２がしっかり固定され、かつ周囲方向における乳房の保持性を良くすることができる。
【００６６】
また胸サポート部１は、伸縮性が異なる生地を少なくとも二枚重ねてある。これにより、ブラジャー１００は、胸サポート部１における生地の二枚重ねによって、伸縮性を低減して乳房の保持性を高めつつ、乳房の透けの防止や、差込みカップ用のポケットを設けることなどできる。
【００６７】
またブラジャー１００は、着用者の胸部に配される胸サポート部１と、胸サポート部１の下側から背部にかけて配されるベルト部２と、胸サポート部１の側端１１に接続され、体側から背部にかけて配される体側サポート部３とを備える。胸サポート部１の側端の少なくとも一部がバージスラインの内側に形成され、体側サポート部３がバージスライン下側にかけて設けられており、体側サポート部３の丈方向における伸縮性が、胸サポート部１よりも高い。これにより、ブラジャー１００は、着用者が腕上げ動作をした時に、バージスライン周辺の皮膚、特にバージスライン内側における乳房の下部からバージスライン下側にかけての領域における皮膚の丈方向の伸びに対する阻害が低減されることに加え、体側における皮膚の丈方向の伸びに対する阻害もより一層低減することができる。ブラジャー１００は、とくに水泳等の激しい腕上げ動作を伴うスポーツ用の衣類に適する。
【００６８】
また胸サポート部１の側端１１の少なくとも一部がバージスライン下外側部の内側に形成されている。これにより、ブラジャー１００は、バージスライン周辺およびバージスライン下側における体側サポート部３の領域を大きくすることができる。また胸サポート部１の側端１１の少なくとも一部がバージスライン上外側部の内側に形成されている。これにより、ブラジャー１００は、バージスライン周辺およびバージスライン下側における体側サポート部３の領域を大きくすることができる。また胸サポート部１の側端１１の少なくとも一部がバージスライン下内側部の内側に形成されている。これにより、ブラジャー１００は、バージスライン周辺およびバージスライン下側における体側サポート部３の領域をさらに大きくすることができる。また体側サポート部３がバージスラインの内側を覆う面積は、バージスライン下内側部よりもバージスライン上外側部で大きく、バージスライン上外側部よりもバージスライン下外側部で大きい。これにより、ブラジャー１００は、胸サポート部１の側端１１を、胸部の中央に向かうにつれて下がる傾斜線として形成することができる。
【００６９】
また体側サポート部３は、丈方向における伸縮性が周囲方向よりも高い。これにより、ブラジャー１００は、着用者の体幹にフィットさせることができる。
【００７０】
また胸サポート部１は、丈方向における伸縮性が周囲方向よりも低い。これにより、ブラジャー１００は、乳房を胸サポート部１の丈方向の張力で保持し、周囲方向には柔らかくして、乳房の締め付けを低減することができる。
【００７１】
また体側サポート部３の周囲方向における伸縮性が、胸サポート部１よりも低い。これにより、ブラジャー１００は、体側サポート部３の丈方向における伸縮性が高いものの、周囲方向には伸縮性を低くして胸部へのフィット性が高められる。また、体側サポート部３の周囲方向における伸縮性が、胸サポート部１の周囲方向における伸縮性よりも低いことによって、乳房の下部まで拡大した体側サポート部３が乳房を下から持ち上げ、バストの保形性を良くすることができる。
【００７２】
またブラジャー１００は、着用者の背中に配される背サポート部４と、胸サポート部１と背サポート部４の上端同士を接続する肩ストラップ部５とを備える。背サポート部４の丈方向における伸縮性が体側サポート部３よりも低い。背サポート部４は、下端がベルト部２に接続されるように設けられているか、または下端がベルト部２の付近まで延びるように設けられている。これにより、ブラジャー１００は、胸サポート部１、ベルト部２、背サポート部４および肩ストラップ部５によって丈方向における乳房の保持性を更に良くすることができる。
【００７３】
以上、本発明の実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【符号の説明】
【００７４】
１  胸サポート部、  １１  側端、  ２  ベルト部、  ３  体側サポート部、
３１  下サポート部、  ３２  上サポート部、  ３２ａ  孔部、
４  背サポート部、  ５  肩ストラップ部、  １００  ブラジャー。
【図１】
2020100936.tif 000003
【図２】
2020100936.tif 000004
【図３】
2020100936.tif 000005
【図４】
2020100936.tif 000006
【図５】
2020100936.tif 000007
【図６】
2020100936.tif 000008
【図７】
2020100936.tif 000009
【図８】
2020100936.tif 000010
【図９】
2020100936.tif 000011
【図１０】
2020100936.tif 000012
【図１１】
2020100936.tif 000013
【図１２】
2020100936.tif 000014
【図１３】
2020100936.tif 000015
【図１４】
2020100936.tif 000016
【図１５】
2020100936.tif 000017
【図１６】
2020100936.tif 000018